(57)【要約】【課題】反応後に回収した廃アルコールを同様のリサイクル処理にアルコールとして再利用することが可能となる高分子化合物のリサイクル方法を提供する。【解決手段】高分子化合物と、該高分子化合物と反応させる薬剤とを反応用押出機１で反応させて高分子処理物を生成する方法において、反応後に回収した廃薬剤を薬剤改質器５１へ導入して該廃薬剤に含まれる水分を調節した後に元の同じ用途で再利用するものである。【選択図】図１
2008174589.tif 000002
【特許請求の範囲】
【請求項１】
高分子化合物と、該高分子化合物と反応させる薬剤とを反応用押出機で反応させて高分子処理物を生成する方法において、反応後に回収した廃薬剤を薬剤改質器へ導入して該廃薬剤に含まれる水分を調節した後に元の同じ用途で再利用することを特徴とする高分子化合物のリサイクル方法。
【請求項２】
前記廃薬剤に含まれる水分の調節は、回収した廃薬剤に含まれる水分を減量することからなる請求項１記載の高分子化合物のリサイクル方法。
【請求項３】
前記薬剤改質器は、脱水剤を充填した容器で構成される請求項１記載の高分子化合物のリサイクル方法。
【請求項４】
前記薬剤改質器は、廃薬剤に含まれる水分量が２重量％以下に減量する請求項３記載の高分子化合物のリサイクル方法。
【請求項５】
前記薬剤改質器へ導入して改質された廃薬剤を、前記高分子化合物と反応させる前のバージン状態の薬剤と任意の割合で混合して再利用する請求項１記載の高分子化合物のリサイクル方法。
【請求項６】
前記高分子化合物と予め超臨界または亜臨界状態とした前記薬剤を、超臨界または亜臨界状態とした反応用押出機内で反応させる請求項１記載の高分子化合物のリサイクル方法。
【請求項７】
前記高分子化合物は、シロキサン結合を有するポリマーであり、前記薬剤は、アルコール類またはアルコール類を含む混合物の組み合わせである請求項１〜６のいずれか記載の高分子化合物のリサイクル方法。
【請求項８】
前記シロキサン結合を有するポリマーは、シラン架橋ポリエチレンである請求項７記載の高分子化合物のリサイクル方法。
【発明の詳細な説明】
【技術分野】
【０００１】
本発明は、高分子化合物との反応に使用した廃薬剤を再利用する高分子化合物のリサイクル方法に関するものである。
【背景技術】
【０００２】
近年、社会的に環境問題への関心が高まり、資源の有効利用や省エネ、リサイクルといった取組み・技術開発が進められている。
【０００３】
ポリマー類についても例外ではなく、これまで多くのポリマーがマテリアルリサイクルやサーマルリサイクルなどの方法による検討が行われてきた。
【０００４】
そのなかで超臨界または亜臨界流体を利用したポリマーのリサイクル検討が活発に行われ、例えば、ポリエチレンに触媒や添加剤を加えて分子間をシロキサン結合で架橋したシラン架橋ポリエチレンについては、熱硬化性であることから溶融成形が困難であるが、超臨界水または亜臨界水を利用したリサイクルがこれまでに検討されている（特許文献１、特許文献２）。
【０００５】
そのほかにも、微粉化したものを高温で熱分解させることにより、油状燃料を得る方法（特許文献３）などが検討されている。
【０００６】
【特許文献１】特開平６−２７９７６２号公報
【特許文献２】特開平１０−２４２７４号公報
【特許文献３】特開平１０−１６０１４９号公報
【特許文献４】特開２００５−０２９６６９号公報
【特許文献５】特願２００５−２７７５９７号
【特許文献６】特開２００５−００２２０３号公報
【発明の開示】
【発明が解決しようとする課題】
【０００７】
しかし、これらの方法では、ポリエチレンの分子量の低下が大きく、ほとんどが低分子量のワックスや油にまで分解反応が進んでしまい、架橋前の元のポリマーに戻すマテリアルリサイクルは難しいという問題がある。
【０００８】
そこで最近になり超臨界または亜臨界状態のアルコールと反応させることによりシラン架橋ポリエチレンの架橋点（シロキサン結合）のみを選択的に分解する技術が研究されてきた。しかも、押出機を利用した装置により、連続的且つエネルギー効率の良いリサイクル処理も可能となっている（特許文献４）。
【０００９】
しかし、上記の技術において使用されるアルコールは現在のところワンウェイであり再利用されていない。
【００１０】
特許文献４で示されるような押出機を利用した装置に加えて、反応に使用した後の廃アルコールガス中の不純物を除去するためのトラッパーや乾燥された状態で廃アルコールガスを吸引することが可能なドライ式真空ポンプ、吸引した廃アルコールガスを冷却凝縮させて貯蔵するためのコンデンサーを接続したシステムにすることにより反応後の廃アルコールを回収することはできる（特許文献５）。  しかし、そのままの状態では廃アルコール中に含まれる水分の影響でシロキサン結合の分解が進みにくくなり、元の用途でリサイクル処理に再利用することは難しい。
【００１１】
そこで本発明は、反応後に回収した廃アルコールを同様のリサイクル処理にアルコールとして再利用することが可能となる高分子化合物のリサイクル方法を提供することを目的とする。
【課題を解決するための手段】
【００１２】
上記目的を達成するために請求項１の発明は、高分子化合物と、該高分子化合物と反応させる薬剤とを反応用押出機で反応させて高分子処理物を生成する方法において、反応後に回収した廃薬剤を薬剤改質器へ導入して該廃薬剤に含まれる水分を調節した後に元の同じ用途で再利用することを特徴とする高分子化合物のリサイクル方法である。
【００１３】
請求項２の発明は、前記廃薬剤に含まれる水分の調節は、回収した廃薬剤に含まれる水分を減量することからなる請求項１記載の高分子化合物のリサイクル方法である。
【００１４】
すなわち請求項１、２の発明は、反応後に回収した廃薬剤を薬剤改質器によって再利用する前に廃薬剤中の水や変性成分および反応系外からの不純物を減量することで、再利用時の廃薬剤と高分子化合物との反応性を向上させるものである。
【００１５】
請求項３の発明は、前記薬剤改質器は、脱水剤を充填した容器で構成される請求項１記載の高分子化合物のリサイクル方法であり、これにより、廃薬剤から水やその他不純物などを効果的に取り除くことができる。
【００１６】
薬剤改質器として、モレキュラーシーブスをはじめとする水や不純物除去効果のある物質を充填したカラムなどにより化学的な反応、吸着を利用したものを用いたものである。
【００１７】
請求項４の発明は、反応後に回収した廃薬剤を再利用する前に、薬剤改質器などを用いて廃薬剤中に含有する水分量を２重量％以下に低減させることで、再利用時の廃薬剤と高分子化合物との反応性を向上させるものである。有機シラン化合物とアルコールの反応系で炭酸エステルなどの脱水剤を用いて、系全体の含水量を１０重量％未満とするもの（特許文献６）があるが、これは有機シラン化合物とアルコールが混合した系内における化学反応を利用して脱水を行い、および高圧容器に有機シラン化合物とアルコールを仕込むバッチ式装置を用いたものである。
【００１８】
本発明では、ポリマーと薬剤が混合する前の薬剤について脱水処理を行う点と、反応に押出機を用いた連続式装置を用いた点にあり、バッチ式と比べてポリマーに対する薬剤の注入量が非常に少ない点と、押出機スクリューによりポリマーとアルコールが十分に混練されるために、ポリマーにアルコールが接触、浸透しやすく、少量の水が反応性に影響を及ぼしやすいといった条件が特許文献６とは異なるものである。
【００１９】
請求項５の発明は、反応後に回収した廃薬剤、およびそれを薬剤改質器へ導入して改質された廃薬剤にバージン状態の薬剤を混合して成分調整することにより、再利用を行いやすくするためのものである。
【００２０】
請求項６の発明は、高分子化合物と超臨界または亜臨界状態にした薬剤とを薬剤が超臨界または亜臨界状態を保持できる温度・圧力に調整した押出機内で反応させるものである。
【００２１】
請求項７の発明は、押出機内で反応させる高分子化合物が分子中にシロキサン結合を持つもの、薬剤がアルコール類またはアルコール類を含む混合物の組合せからなるものである。
【００２２】
例えばシロキサン結合を持つポリマーとしては、シラン架橋ポリエチレンを含むシラン水架橋ポリマーやシリコーンゴム、シリコーン樹脂などが挙げられる。シラン水架橋ポリマーとは、ポリマーに、ビニルアルコキシシラン等のシラン化合物をパーオキサイドを用いてグラフトさせ、アルコキシ基の加水分解によって生成したシラノール基の縮合反応により分子間を架橋させたものである。ここで使用されるポリマーとしては、ポリエチレン、ポリプロピレン、塩素化ポリエチレン、エチレン−酢酸ビニル共重合体、エチレン−アクリル酸エステル共重合体、エチレン−プロピテンゴムおよびエチレン−オクテンゴムなどを挙げることができ、これらは、単独で使用しても良く、二種類以上併用してもよい。また、エチレンとアルコキシシランを有するビニル化合物を共重合化したポリマーも使用することができる。アルコール類またはアルコール類を含む混合物としては、メチルアルコール、エチルアルコール、ｎ−プロピルアルコール、ｉ−プ口ピルアルコール、ｎ−ブチルアルコール、ｉ−ブチルアルコール、ｎ−ペンチルアルコールおよびｉ−ペンチルアルコール、エチレングリコール、グリセリン、ベンジルアルコール及びステロイドアルコールなどを挙げることができ、上記アルコール類と同様に、ヒドロキシル基を有するフェノール、クレゾール、２，４，６−トリブロモフェノール、サルチル酸、ピクリン酸、ナフトール、カテコール、レゾルシノール、ヒドロキノン及びピロガロールなどのフェノール類も使用することができる。これらは、単独で使用しても良く、二種以上併用しても良い。
【００２３】
このように請求項７は、高分子化合物と薬剤とは、このようなシロキサン結合を有するポリマー類とアルコール類との組み合わせとするものである。
【００２４】
請求項８の発明は、請求項７で定義するシロキサン結合を有するポリマーが特にシラン架橋ポリエチレンであるとするものである。
【発明の効果】
【００２５】
本発明によれば、シロキサン結合を分解する際に、一度反応に使用した廃アルコールを薬剤改質器に通して水分を調整することで、同じ用途に再利用することが可能であり、ゲル分率が十分に低い再生ポリエチレンを得ることができる。これにより、シラン架橋ポリエチレンのリサイクル処理にかかるコストが低減できるので工業的なメリットかある。また、廃アルコールの廃棄をなくすことができるので環境に配慮することもできるという優れた効果を発揮するものである。
【発明を実施するための最良の形態】
【００２６】
以下、本発明の好適な一実施の形態を添付図面に基づいて詳述する。
【００２７】
図１は、本発明により構成される高分子化合物と薬剤との反応装置、および反応に使用した後の廃薬剤の回収、リサイクル装置の概略図を示したものである。  ホッパー１３より高分子化合物としてペレット状にしたシラン架橋ポリエチレンを、二本のスクリュー１ａを有する反応用押出機１へと導入される。
【００２８】
一方、反応に要するアルコールは、薬剤タンク１８から薬剤タンクバルブ１７を通り、薬剤注入ポンプ１５で加圧されると共に、薬剤加熱ヒータ１４によって加熱され、反応用押出機１のシリンダに超臨界または亜臨界状態としたアルコールが注入される。
【００２９】
反応用押出機１及びこれに接続した反応管１００の中では、超臨界または亜臨界状態を保持してシラン架橋ポリエチレンとアルコールとを反応させる。
【００３０】
その後反応生成物と反応後の廃アルコールの混合物は圧力調整バルブ１１を介して常圧付近まで減圧されて、脱気用押出機２に供給され、スクリュー２ａで押し出されながら脱気用押出機２中で反応生成物と廃アルコールとに分離される。
【００３１】
反応生成物は、脱気用押出機２のダイ３よりストランド状に押出され、そのストランド５が冷却水槽４を通して水冷された後に、ストランドカッタ６によりペレタイズされてペレット７とされる。
【００３２】
廃アルコールのガス分は、吐出方向を逆流して脱気用押出機２の後部に接続したベントボックスヒータ１０を有するバックベント８に主に流れ、槽圧調整バルブ１２を介してトラッパー１６に送られ、また高分子処理物と共に吐出方向に押し出されたアルコールは、フロントベント９からライン２５、バルブ９１を介して廃アルコール中の不純物を除去するためのトラッパー１６に送られる。
【００３３】
なお、バックベント８とフロントベント９には、安全弁２１，２２が接続される。
【００３４】
トラッパー１６に送られた廃アルコールは、吸引した廃アルコールとオイルなどの液体が混合することのないドライ式の真空ポンプ１９を通過してコンデンサー２０に送られ、そこで凝縮される。
【００３５】
コンデンサー２０で凝縮した廃アルコールは、コンデンサーバルブ２３を介して、薬剤改質器５１に送られる。
【００３６】
薬剤改質器５１は、図２に示すように、モレキュラーシーブスを充填したカラム５２を備えて構成され、薬剤改質器５１に送られ廃アルコール中の水が低減された後、薬剤タンク１８に貯蔵され、元と同じシラン架橋ポリエチレンとの反応に再利用される。
【００３７】
ここで、薬剤改質器５１はカラム５２を装置稼動中に交換する必要が生じた場合などを考慮して廃アルコールの流路を選択できるように複数のカラム５２などを備えたものが好ましい。また、切替バルブ５３により薬剤の流路を切り換えること、及びカラム流量調節バルブ５４（ニードルバルブが好ましい）の開閉度により薬剤のカラム中の滞留時間の調節が可能である構造を有している。
【００３８】
薬剤改質器５１は、モレキュラーシーブスを充填したカラム５２の他にも、蒸留塔などの精製装置やゼオライト膜のような脱水効果を有する細孔膜を用いた分子篩を利用することも考えられる。
【００３９】
コンデンサー２０と薬剤改質器５１との間に取り付けられたコンデンサーバルブ２３により薬剤改質器５１を通過させる前に、コンデンサー２０内に廃アルコールを貯蔵させて、それをドレンバルブ２４から取り出すことも可能である。
【００４０】
コンデンサー２０、薬剤改質器５１、薬剤タンク１８は必ずしも図１に示したような連続式のものでなくともよく、それぞれの工程を単独で行うこと（バッチ式）も可能である。
【００４１】
実験によれば、薬剤改質器５１を通過させる前のコンデンサー２０内に貯蔵された廃アルコールの水分量は４重量％程度であり、薬剤改質器５１を通過させた後の薬剤タンク１８内の廃アルコールの水分量は０．０９重量％であった。
【００４２】
また別途、廃アルコールに過剰量のモレキュラーシーブスを加えた実験を行ったところ、どんなにモレキュラーシーブスを添加しても廃アルコール中の水分量が０．０８重量％以下にならなかったことから、上記薬剤改質器５１による廃アルコールからの脱水は十分な程度に行われていることが分かった。
【００４３】
廃アルコール中の水分量を０．０８重量％以下にするためにはより高度な精製技術が必要であり工業的な利用も考えると仮に実現したとしても高コストとなることが予想される。
【００４４】
廃アルコール中の水分量はカールフィッシャー水分計を用いて以下の式により定量した。
【００４５】
廃アルコールの水分量（％）＝（廃アルコール中の水分重量（ｇ））／（廃アルコールの重量（ｇ））×１００
滴定用の試薬には、ハイドラナール・クーロマットＡＧとハイドラナール・クーロマットＣＧ（ともに、Ｓｉｇｍａ−Ａｌｄｒｉｃｈ製）を使用した。
【００４６】
また、使用する高分子化合物として上記以外にも、架橋ポリマー、プラスチックやゴム等の熱硬化性樹脂の合成高分子や、リグニン、セルロース、タンパク質等の天然高分子、更には合成高分子と天然高分子混合物、シュレッダーダストのように高分子化合物を主として、これに他の材料が混合したものを適当な薬剤と組み合わせて反応させたときに、反応生成物が水と反応したりするものには特に有効に機能する。
【００４７】
本発明は、図１に示す装置によりシロキサン結合を分解する際に、一度反応に使用した廃アルコールを薬剤改質器５１に通すことで、同じ用途に再利用することが可能であり、ゲル分率が十分に低い再生ポリエチレンを得ることができる。これにより、シラン架橋ポリエチレンのリサイクル処理にかかるコストが低減できるので工業的なメリットがある。
【００４８】
さらに、廃アルコールの廃棄をなくすことができるので環境に配慮することもできる。
【実施例】
【００４９】
図１に示す装置を用いて、表１の条件でシラン架橋ポリエチレン中のシロキサン結合を１−プロパノールにより選択的に分解する実験を行い、モレキュラーシーブスを充填したカラム５２を備えた薬剤改質器５１を通して薬剤タンク１８に廃アルコールを回収した。
【００５０】
この廃アルコールに水を加えて水分量を０．０９重量％〜４重量％に調整したものを用いて、再度同様のシロキサン結合分解実験を図１に示す装置で行い、反応生成物である再生ポリエチレンを得てゲル分率を測定した。
【００５１】
ここで、ゲル分率とはポリマーの架橋度合いを評価する指標であり、ＪＩＳ３００５に準拠して金網に入れたポリマーを１１０℃熱キシレン中で２４時間抽出させて、金網に残ったポリマーを８０℃で４時間真空乾燥した後の重量をキシレン抽出前のポリマーの重量で割った百分率のことであり、乾燥後の重量／初期重量（キシレン抽出前のポリマー重量）×１００（％）で算出される。シロキサン結合分解実験は表１の条件で行った。
【００５２】
【表１】
2008174589.tif 000003
【００５３】
表１は、図１の装置を用いてシラン架橋ポリエチレンのシロキサン結合分解実験を行ったときの実験条件である。
【００５４】
実施例１：
上記の方法で、薬剤タンク１８に回収した水分量０．０９重量％である廃アルコールをそのままシロキサン結合分解実験に使用して再生ポリエチレンを得た。このとき再生ポリエチレンのゲル分率は０％であった。
【００５５】
実施例２：
上記の方法で、薬剤タンク１８に回収した水分量０．０９重量％である廃アルコールに水を加えて水分量を０．３重量％とした廃アルコールを調整し、シロキサン結合分解実験に使用して再生ポリエチレンを得た。このとき再生ポリエチレンのゲル分率は２％であった。
【００５６】
実施例３：
上記の方法で、薬剤タンク１８に回収した水分量０．０９重量％である廃アルコールに水を加えて水分量を１．１重量％とした廃アルコールを調整し、シロキサン結合分解実験に使用して再生ポリエチレンを得た。このとき再生ポリエチレンのゲル分率は１３％であった。
【００５７】
実施例４：
上記の方法で、薬剤タンク１８に回収した水分量０．０９重量％である廃アルコールに水を加えて水分量を２重量％とした廃アルコールを調整し、シロキサン結合分解実験に使用して再生ポリエチレンを得た。このとき再生ポリエチレンのゲル分率は１８％であった。
【００５８】
比較例１：
実施例１〜３と同様の実験を１−プロパノールではなく、薬剤改質器５１に通す前のコンデンサー２０から回収した水分量４重量％の廃アルコールを用いて実施した。
【００５９】
シロキサン結合分解実験は実施例と同じ表１の条件で行った。このとき再生ポリエチレンのゲル分率は３０％であった。
【００６０】
以上の結果を図３にプロットした。
【００６１】
実施例１〜４で記載した廃アルコール中の水分量が２重量％以下では再生ポリエチレンのゲル分率が１８％以下であり、再生ポリエチレンの溶融成型性が良好なレベルまでシロキサン結合の分解が進んでいることが分かった。
【００６２】
従って再生ポリエチレンのゲル分率が２０％以下であることを必要特性（図３グラフ中の破線以下の領域）としたが、さらに再生ポリエチレンを成型し易くすることや伸びなどの材料特性が上がることを考えると、実用的には廃アルコールの水分量を１重量％未満、さらに好ましくは０．１重量％未満まで制御することが望ましい。
【００６３】
実施例１で記載した薬剤改質器５１を通した廃アルコール（水分量が０．０９重量％）をそのまま用いれば十分実用性のある再生ポリエチレン（ゲル分率が０％）が得られることが分かった。
【００６４】
しかし、比較例１で記載したように廃アルコール中の水分量が４重量％では再生ポリエチレンのゲル分率が３０％と高くなり、シロキサン結合の分解が十分に進んでいないことが分かった。
【００６５】
もし、さらに廃アルコールの純度を上げる精製装置があったとしても、高コストであれば工業的にはそのメリットは少ない。つまり、図１の装置を用いて廃アルコール中の水分量を０．０９重量％以上２重量％以下に制御すれば、シラン架橋ポリエチレンのシロキサン結合の分解に関しては問題がない。
【図面の簡単な説明】
【００６６】
【図１】本発明の装置システム概略図である。
【図２】図１中の薬剤改質器の概略図である。
【図３】シラン架橋ポリエチレンのシロキサン結合分解実験における廃アルコール中の水分量と再生ポリエチレンのゲル分率の関係をプロットしたものである。
【符号の説明】
【００６７】
１  反応用押出機
２  脱気用押出機
３  ダイ
４  冷却水槽
５  ストランド
６  ストランドカッタ
７  ペレット
８  バックベント
９  フロントベント
１０  ベントボックスヒータ
１１  圧力調整バルブ
１２  槽圧調整バルブ
１３  ホッパー
１４  薬剤加熱ヒータ
１５  薬剤注入ポンプ
１６  トラッパー
１７  薬剤タンクバルブ
１８  薬剤タンク
１９  ドライ真空ポンプ
２０  コンデンサー
２１  安全弁
２２  安全弁
２３  コンデンサーバルブ
２４  ドレンバルブ
５１  薬剤改質器
５２  カラム
５３  切替バルブ
５４  カラム流量調整バルブ
１００  反応管
【図１】
2008174589.tif 000004
【図２】
2008174589.tif 000005
【図３】
2008174589.tif 000006